(57)【特許請求の範囲】
【請求項１】
パーシャルレスポンスに基づいた信号を復号化する装置であって、
入力される信号を、パーシャルレスポンスに基づいて所定の信号に等化する等化器と、  前記等化された信号の振幅値を、少なくとも一部の量子化間隔が異なるように非線形量子化する非線形量子化手段と、
前記非線形量子化された信号のデータ系列に基づいて、元のデータを復号化する復号化手段と
を有する復号化装置。
【請求項２】
前記等化器は、パーシャルレスポンスの等化目標値を所定の２進表現した時に、全ての等化目標値において共通の値を示すビットが多く含まれるように前記等化を行う、
請求項１記載の復号化装置。
【請求項３】
前記非線形量子化手段は、パーシャルレスポンスの等化目標値付近の量子化間隔が、パーシャルレスポンスの等化目標値付近以外の量子化間隔よりも広くなるように前記量子化を行う、
請求項２記載の復号化装置。
【請求項４】
前記非線形量子化手段は、異なるパーシャルレスポンスの等化目標値の間の振幅値を有する信号に対して、他よりも狭い量子化間隔により前記量子化を行う、
請求項３記載の復号化装置。
【請求項５】
前記復号化手段は、最尤復号により前記データを復号する、
請求項４記載の復号化装置。
【請求項６】
前記復号化手段は、ビタビ復号方式により前記データを復号する、
請求項５記載の復号化装置。
【請求項７】
前記復号化手段は、ＣＭＯＳ回路により構成される、
請求項５記載の復号化装置。
【請求項８】
パーシャルレスポンスに基づいた信号を復号化する方法であって、
入力される信号を、パーシャルレスポンスに基づいた信号であって、パーシャルレスポンスの等化目標値を２進数で表した時に、全ての等化目標値において共通の値を示すビットが多く含まれるように等化を行い、
前記等化された信号の振幅値を、パーシャルレスポンスの等化目標値付近の量子化間隔が、パーシャルレスポンスの等化目標値付近以外の量子化間隔よりも広くなるように非線形量子化し、
前記非線形量子化された信号のデータ系列に基づいて、最尤復号法により元のデータを復号化する、
復号化方法。
【請求項９】
記録媒体に記録された信号を検出する信号検出手段と、
前記検出された信号を、パーシャルレスポンスの等化目標値を２進数で表した時に、全ての等化目標値において共通の値を示すビットが多く含まれるようなパーシャルレスポンスに基づいた信号に等化する等化器と、
前記等化された信号の振幅値を、パーシャルレスポンスの等化目標値付近の量子化間隔が、パーシャルレスポンスの等化目標値付近以外の量子化間隔よりも広くなるように非線形量子化する非線形量子化手段と、
前記非線形量子化された信号のデータ系列に基づいて、最尤復号法により元のデータを復号化する復号化手段と
を有するデータ再生装置。
【発明の詳細な説明】
【０００１】
【発明の属する技術分野】
本発明は、消費電力を低減することのできるたとえばビタビデコーダのような復号化装置とその方法、および、その復号化装置を有し、たとえば磁気ディスク、磁気テープ、光磁気ディスクなどの磁気記録媒体に記録されている信号を、低消費電力で適切に再生することのできるデータ再生装置に関する。
【０００２】
【従来の技術】
磁気ディスクなどからの再生信号から情報を検出する手段として、パーシャルレスポンスと最尤復号法を組み合わせたＰＲＭＬ(Partial Response Maximum Likelihood) という信号処理法がよく知られている。
【０００３】
磁気ディスク装置における、一般的なＰＲＭＬを用いた信号処理回路を図９に示す。
図９に示す磁気ディスク装置９においては、ハードディスクコントローラから入力されたデータがチャネル符号化部９１によってチャネル符号に変調され、記録アンプ９２を介して磁気ディスク媒体８０に記録される。
そして、磁気ディスク媒体８０より再生された信号は、再生アンプ９３で増幅されてＡ／Ｄ変換部９４によりデジタル信号に変換され、等化器９５によってＰＲ４の特性の信号に等化され、ビタビデコーダ９８によってデコードされる。
【０００４】
ビタビデコーダは、デジタル的演算処理を行い、そのサンプルの値だけではなく、前後のサンプルの値も使って最も確からしい系列を推定することによって情報の検出を行うものであり、加算器、比較器、セレクタおよびシフトレジスタなどから構成されている。
また、等化器９５で等化された信号に基づいて、ＰＬＬ回路９６によってクロックが生成される。
ビタビデコーダ９８によってデコードされたデータは、チャネル復号化部９９により元の信号に復元され、ハードディスクコントローラに出力される。
【０００５】
このようなＰＲＭＬの種類には、用いるパーシャルレスポンスの種類によって、ＰＲ４，ＥＰＲ４などが知られており、より複雑な演算をすることによって、高い検出性能を得ることができる。
また、ＰＲＭＬとチャネル符号を組み合わせ、より高い検出性能を得られるようにしたトレリス符号化ＰＲＭＬ（ＴＣＰＲ）という手法もある。
【０００６】
【発明が解決しようとする課題】
しかしながら、このようなＰＲＭＬにおいては、消費電力を少なくしたいという要望がある。
このようなＰＲＭＬにおいては、高い性能を得るためには、より複雑な演算が必要となり、その結果、演算回路の消費電力が増大する傾向にある。たとえば、ＰＲ４を用いるビタビデコーダに対して、ＥＰＲ４用のビタビデコーダは数倍の電力を消費する。また、ＴＣＰＲ用のビタビデコーダでは、さらにそれ以上の電力を消費する。
また、近年の半導体技術の進展により、このような信号処理ロジック回路は、半導体チップ上に形成される場合が多くなっているが、その場合に、少しでも消費電力を低減させたいという要望があり、比較的演算量の多いこのような復号化回路に対して特に、消費電力を低減させることが要望されている。
【０００７】
したがって、本発明の目的は、性能を維持した状態で消費電力を低減することのできる復号化装置を提供することにある。
また、本発明の他の目的は、性能を維持した状態で消費電力を低減することのできる復号化方法を提供することにある。
また、本発明の他の目的は、低消費電力の復号化装置を有し、これにより本体の消費電力も低減できるデータ再生装置を提供することにある。
【０００８】
【課題を解決するための手段】
前記課題を解決するために、ビタビデコーダの入力部に非線形量子化器を挿入することによって、消費電力を低減するようにした。
【０００９】
本発明によれば、パーシャルレスポンスに基づいた信号を復号化する装置であって、入力される信号を、パーシャルレスポンスに基づいて所定の信号に等化する等化器と、前記等化された信号の振幅値を、少なくとも一部の量子化間隔が異なるように非線形量子化する非線形量子化手段と、前記非線形量子化された信号のデータ系列に基づいて、元のデータを復号化する復号化手段とを有する復号化装置が提供される。
【００１０】
好適には、等化器は、パーシャルレスポンスの等化目標値を２の補数表示など所定の２進表現した時に、全ての等化目標値において共通の値を示すビットが多く含まれるように前記等化を行う。
また好適には、前記非線形量子化手段は、ＰＲの等化目標値付近の量子化間隔が、パーシャルレスポンスの等化目標値付近以外の量子化間隔よりも広くなり、さらに好適には、前記非線形量子化手段は、異なるパーシャルレスポンスの等化目標値の間の振幅値を有する信号に対して、他よりも狭い量子化間隔により前記量子化を行う。
【００１１】
また、本発明の復号化方法においては、ＰＲに基づいた信号を復号化する方法であって、入力される信号を、パーシャルレスポンスに基づいた信号であって、パーシャルレスポンスの等化目標値を２進数で表した時に、全ての等化目標値において共通の値を示すビットが多く含まれるように等化を行い、前記等化された信号の振幅値を、パーシャルレスポンスの等化目標値付近の量子化間隔が、パーシャルレスポンスの等化目標値付近以外の量子化間隔よりも広くなるように非線形量子化し、前記非線形量子化された信号のデータ系列に基づいて、最尤復号法により元のデータを復号化する。
【００１２】
本発明によれば、記録媒体に記録された信号を検出する信号検出手段と、前記検出された信号を、パーシャルレスポンスの等化目標値を２進数で表した時に、全ての等化目標値において共通の値を示すビットが多く含まれるようなパーシャルレスポンスに基づいた信号に等化する等化器と、前記等化された信号の振幅値を、パーシャルレスポンスの等化目標値付近の量子化間隔が、パーシャルレスポンスの等化目標値付近以外の量子化間隔よりも広くなるように非線形量子化する非線形量子化手段と、前記非線形量子化された信号のデータ系列に基づいて、最尤復号法により元のデータを復号化する復号化手段とを有するデータ再生装置が提供される。
【００１３】
【発明の実施の形態】
本発明の一実施の形態を図１〜図５を参照して説明する。
本実施の形態においては、磁気ディスクに信号を記録し再生する磁気ディスク装置であって、本発明に係わる復号化装置の一例であるビタビデコーダを有する装置について説明する。
【００１４】
図１は、その磁気ディスク装置の構成を示すブロック図である。
磁気ディスク装置１は、チャネル符号化部１１、記録アンプ１２、再生アンプ１３、Ａ／Ｄ変換部１４、等化器１５、ＰＬＬ回路１６、非線形量子化器１７、ビタビデコーダ１８およびチャネル復号化部１９を有する。
また、磁気ディスク装置１には、記録媒体である磁気ディスク媒体８０が搭載されており、図示せぬ記録ヘッドおよび再生ヘッドを介して信号の記録および再生が行われる。
【００１５】
まず、磁気ディスク装置１の各部の構成について説明する。
チャネル符号化部１１は、図示せぬハードディスクコントローラから入力される記録データの信号を、磁気ディスク媒体８０に対する磁気記録に適した信号に変換し、記録アンプ１２に出力する。
【００１６】
記録アンプ１２は、チャネル符号化部１１より入力される信号を、図示せぬ記録ヘッドを介して磁気ディスク媒体８０に記録する。
【００１７】
再生アンプ１３は、図示せぬ再生ヘッドにより再生された磁気ディスク媒体８０に記録されている信号を増幅し、Ａ／Ｄ変換部１４に出力する。
【００１８】
Ａ／Ｄ変換部１４は、再生アンプ１３より入力された再生信号をデジタル信号に変換し、等化器１５に出力する。
【００１９】
等化器１５は、Ａ／Ｄ変換部１４より入力された再生デジタル信号を、パーシャルレスポンスクラス４（以後、ＰＲ４という）の特性の信号に等化する。本実施の形態においては、等化された信号ｙk は６ビットの２の補数によって表現される値、すなわち−３２≦ｙk ≦３１の値に変換される。
【００２０】
ＰＬＬ回路１６は、等化器１５において等化された信号より、クロックを生成し、等化器１５、図示せぬ制御部、および、後段の各処理部などに出力する。
【００２１】
非線形量子化器１７は、等化器１５において等化された信号を、図２に示すように非線形量子化、すなわち変換し、ビタビデコーダ１８に出力する。
図２は、非線形量子化器１７における変換パタンを示す図である。
図２に示すように、非線形量子化器１７は、入力される信号ｙk が−３２≦ｙk ≦−１４の時は−１６を出力し、信号ｙk が−２≦ｙk ≦＋２のときは０を出力し、信号ｙk が１４≦ｙk ≦３１の時は１６を出力し、それ以外の時は入力信号ｙk をそのまま出力する。
【００２２】
ビタビデコーダ１８は、非線形量子化器１７より順次入力される信号に基づいて、その系列に最も近い符号を求める最尤復号を行う。
ビタビデコーダ１８について、図３〜図５を参照して詳細に説明する。
図３は、ビタビデコーダ１８の構成を示すブロック図である。
ビタビデコーダ１８は、第１の処理回路部２０、第２の処理回路部３０、切り替え回路部４０および合成回路５０を有する。
【００２３】
第１の処理回路部２０および第２の処理回路部３０は、各々入力されるビットデータの偶数（ｅｖｅｎ）ビット系列および奇数（ｏｄｄ）ビット系列を処理する回路であり、全く同じ内部構成を有する。したがって、ここでは第１の処理回路部２０についてのみ、その内部構成を詳細に示し、動作を説明する。
第１の処理回路部２０は、入力スイッチ２１、ブランチメトリック演算回路２２、最尤パスメトリック選択回路２３、ラッチ２４およびパスメモリ２５を有する。
【００２４】
また、第１の処理回路部２０および第２の処理回路部３０の各系列用のビタビデコーダが追跡するトレリスは、図４に示すようなものである。すなわち、内部に状態を６個もち、連続する２サンプルの値を１まとめとして処理を行う。
【００２５】
このようなビタビデコーダ１８において、非線形量子化器１７より順次入力される信号は、第１の処理回路部２０および第２の処理回路部３０の入力スイッチ２１によって切り替え回路部４０からの切り替え信号に基づいて１ビットおきにデインターリーブされて、偶数系列を処理する第１の処理回路部２０、奇数系列を処理する第２の処理回路部３０に各々取り込まれる。
第１の処理回路部２０に順次取り込まれたサンプルは、ブランチメトリック演算回路２２に入力され、式（１）〜式（７）に基づいて、値ｂｍ-10 〜ｂｍ10が計算される。
【００２６】
【数１】
0003858362.tif 000002
【００２７】
なお、式（１）〜式（７）においては、入力スイッチ２１で選択された連続する２サンプルの値をｚ1 ，ｚ2 、振幅基準レベルをＲとする。
【００２８】
次に、最尤パスメトリック選択回路２３において、式（８）〜式（１３）に示す規則にしたがって最尤ブランチが選択され、パスメトリックがラッチ２４によってラッチされる。
【００２９】
【数２】
0003858362.tif 000003
【００３０】
最尤ブランチを選択した結果は、パスメモリ２５に送られ、パスメモリ２５でその情報から生き残りパスを１つに絞る処理が行われる。
【００３１】
生き残りパスと判断されたパスは、検出データとして出力され、切り替え回路部４０からの切り替え信号に基づいて、合成回路５０で第２の処理回路部３０からの出力信号と合成され、偶数／奇数系列が合成されたデータがビタビデコーダ１８より出力される。
【００３２】
図５に、パスメモリ部分の詳細なブロック図を示す。
パスメモリ２５は、符号語長に等しい１０ビットの長さをもつローカルパスメモリ２５１と、同じく１０サンプルを単位としてシフトするグローバルパスメモリ２５２1 〜２５２-6，２５３1 〜２５３-6，２５４1 〜２５４-6を有する。
ローカルパスメモリ２５１は、パラレルロード／シリアルシフトレジスタによって構成され、最初の１０サンプルの生き残りパスを決定し、各状態ごとに１０ビット単位で出力する。生き残りパスは、グローバルバスメモリによってシフトされ、最終的にセレクタ２５５によって最尤パスが選択され出力される。
状態数は６であるから、１０サンプル前の状態は３ビットのデータで表現することができ、これはラッチ２５６1 〜２５６-6およびラッチ２５７1 〜２５７-6によってシフトされる。
セレクタ２５９の出力は２０サンプル前の状態を表し、セレクタ２５８の出力は３０サンプル前の状態を表すので、セレクタ２５５の出力は３０サンプル前の生き残りパスを表し、これが復号データとして出力される。
【００３３】
チャネル復号化部１９は、ビタビデコーダ１８で復号化された信号に基づいて、基のデジタル信号に変換し、ハードディスクコントローラに出力する。
【００３４】
次に、磁気ディスク装置１の動作についてまとめて説明する。
磁気ディスク装置１においては、記録対象のデータが図示せぬハードディスクコントローラから入力され、チャネル符号化部１１によってチャネル符号に変調され、記録アンプ１２を介して図示せぬ記録ヘッドより磁気ディスク媒体８０に記録される。
【００３５】
そして、磁気ディスク媒体８０より図示せぬ再生ヘッドにより再生された信号は、再生アンプ１３で増幅されてＡ／Ｄ変換部１４によりデジタル信号に変換され、等化器１５によってＰＲ４の特性の信号に等化される。この時等化された信号ｙk は、６ビットの２の補数によって表現されており、−３２≦ｙk ≦＋３１の値をとる。
また、この等化された信号に基づいて、ＰＬＬ回路１６によってクロックが生成される。
等化された信号は、非線形量子化器１７によって離散した値に丸められた後、ビタビデコーダ１８によってデコードされ、チャネル復号化部１９により元の信号に復元され、図示せぬハードディスクコントローラを経由して出力される。
【００３６】
次に、このような磁気ディスク装置１によって、すなわち、ビタビデコーダ１８によるデコードの前に非線形量子化器１７を設け、図２に示したようなパタンに基づいた非線形量子化を行うことによって、検出特性が劣化しないこと、および、これにより消費電力が削減できることについて、図６〜図８を参照して説明する。
ＰＲ４等化を使用する系では、信号の存在点は｛−１，０，＋１｝の３値となる。
ＰＲ４に等化されたサンプル値を６ビット幅で表現し、＋１の信号増幅が＋１６となるように振幅を調整すると、信号の存在点は｛−１６，０，＋１６｝と表現できる。
実際には、等化誤差やノイズの影響により、サンプル値は信号存在点の周囲にほぼガウス分布となるように分布する。
【００３７】
磁気記録系からの再生信号をＰＲ４等化したサンプル列の分布を図６に示す。図６において、●印は実験値、破線はガウス分布を示す曲線である。図６示すように、前述したように、｛−１６，０，＋１６｝のどのレベルとも、ほぼガウス分布となっている。
このように、磁気記録系からの再生信号をＰＲ４に等化したサンプル列は、信号点付近にそのほとんどが偏在し、たとえば±８付近や±２４以上の領域などの信号点付近以外の部分には、ほとんど存在していないという特徴を持つ。
【００３８】
次に、ＰＲ４に等化された信号を復号する系において、どのようなノイズが発生するとビタビデコーダの復号結果がビットエラーとなるかについて考える。
信号点の振幅を１とすると、ｂｉｔ−ｂｙ−ｂｉｔの振幅検出を行うデコーダでは、時刻ｋにおけるノイズの値ｎk が１／２より大きくなったときにエラーとなる。なお正確には、信号値とノイズの極性によってエラーになったりならなかったりするが、ここではそれは無視する。
ＰＲ４用ビタビデコーダでは、概略的に述べると、ある時刻ｋとｌにおけるノイズの大きさの和｜ｎk ｜＋｜ｎl ｜が１より大きくなった時にエラーとなる可能性が高い。
【００３９】
したがって、ノイズがガウス分布をしているという仮定では、ｎk ＝１となる確率はｎk ＝１／２となる確率よりも数桁低いため、ビットエラーを起こすノイズのパタンとしては、ノイズの大きさがともに１／２付近の値となっている場合が支配的であると考えられる。
すなわち、ノイズの大きさが１／２付近となった時にビットエラーとなるかならないかの分かれ目となっており、この付近の振幅方向の分解能が重要であるとがわかる。換言すれば、信号存在点の振幅値｛−１，０，１｝付近の分解能や重要ではないと言える。
【００４０】
したがって、信号存在点｛−１，０，１｝付近の量子化ビット幅を粗くとっても、検出特性に影響を与えないようにできる。
たとえば、非線形量子化器によって、＋１６付近の値を全て＋１６に、０付近の値を全て０に、−１６付近の値を全て−１６にそれぞれ変換してビタビデコーダに入力しても、検出特性は劣化しない。
非線形量子化パタンの例として、図７のタイプ１およびタイプ２に示す２種類をそれぞれ用いる場合のビタビデコーダの検出結果の例を図８（Ａ）、（Ｂ）に示す。なお、図７のタイプ１が本実施の形態の非線形量子化器１７で用いた図２に示したパタンである。
【００４１】
ここで、等化器からの信号は６ビットで表現されているとしているので、非線形量子化器に入力される信号ｘは−３２≦ｘ≦３１の値をとる。これに対して、タイプ１では、信号存在点｛−１６，０，１６｝の±２の範囲、および、その外側の値が入力された時にそれぞれ｛−１６，０，１６｝として出力するものであり、タイプ２では、信号存在点｛−１６，０，１６｝の±３の範囲、および、その外側の値が入力された時にそれぞれ｛−１６，０，１６｝として出力するものである。
図８（Ａ）の主要部分を拡大したものを図８（Ｂ）に示す。図８（Ｂ）よりわかるように、タイプ２では非線形量子化を行わない場合に対してビットエラーレートが劣化しているが、タイプ１では全く劣化していない。すなわち、タイプ１のような非線形量子化を行っても検出特性には全く影響を与えないということができる。
【００４２】
ある程度ノイズが少なければ、等化後の信号列はその大部分が＋１６，０，−１６付近のいずれかに存在するので、このような変換をすることによって、ビタビデコーダに入力される信号列はその大部分が＋１６，０，−１６のいずれかになる。
そして、ＰＲ４に等化された信号の振幅基準レベルを１６とすると、ノイズや等化歪みがなければ、信号１の振幅は１６、信号０の振幅は０、信号−１の振幅は−１６となる。実際のハードウェア内部では、２の補数で表現して演算することが多いので、これらを２の補数による６ビットの２進数で表現すると、表１のようになる。
【００４３】
【表１】
0003858362.tif 000004
【００４４】
一般にロジック回路においては、ノードの値が０または１の間を変化するとより一層電力を消費する。したがって、表１に示したように、＋１６，０，−１６の下位４ビットが０であるビタビデコーダ１８においては、加算器やコンパレータにおける信号の変化が少なくなり、消費電力を低減することができる。
特に、ＣＭＯＳロジック回路においては、ノードが１から０、または０から１へ遷移することによって電力を消費し、ノードのロジックレベルが変化しなければ、全く電力を消費しない特性を持っている。したがって、表１に示したような値が入力され続ける間はビタビデコーダの主要演算部分の中を流れる信号の下位４ビットは全く変化しない。したがって、消費電力の大幅な削減が可能となる。
【００４５】
なお、本発明の回路において新たに必要となる非線形量子化器は、単に入力データを変換して出力するだけのものであるから、その回路規模、消費電力ともに、ビタビデコーダのそれに比べて無視できるほど小さなものである。したがって、本発明のビタビデコーダ全体の回路規模は従来のものと比べてほとんど同じ程度であり、消費電力はビタビデコーダ全体として大幅に削減される。
【００４６】
このように、本実施の形態の磁気ディスク装置においては、ビタビデコーダの検出特性を劣化させることなく、ビタビデコーダの消費電力を大幅に削減することができた。
【００４７】
なお、本発明は本実施の形態に限られるものではなく、種々の改変が可能である。
たとえば、本実施の形態においては、磁気記録チャネルにＰＲ４と８／１０トレリス符号を組み合わせた系を例示して説明したが、その他のＰＲＭＬの形式でも同様の効果を得ることができる。
たとえば、ＥＰＲ４の場合には、｛−２，−１，０，＋１，＋２｝の５値に等化されるので、＋１のレベルを８となるように振幅を調整すると、等化目標は｛−１６，−８，０，＋８，＋１６｝となる。したがって、この場合、非線形量子化器は、ｙk が、−３２≦ｙk ≦−１５の時は−１６、−９≦ｙk ≦−７の時は−８、−２≦ｙk ≦＋２の時は０、＋７≦ｙk ≦＋９の時は＋８、＋１５≦ｙk ≦＋３１の時は＋１６、それ以外の時は入力値をそのまま出力するなどの構成とすればよい。
【００４８】
また、ここでは、８／１０符号を処理する例について述べたが、符号化率がこれと異なる符号を用いる場合には、ローカルパスメモリの処理ビット単位を符号語のビット数と一致させることにより、これと同様の回路を構成する。たとえば、チャネル符号として８／９符号を用いる場合には、ローカルパスメモリの処理ビット単位は９ビットとなる。
【００４９】
また、本実施の形態においては、磁気ディスク装置を例示して本発明を説明したが、本発明の復号化装置は磁気ディスク装置にのみ適用されるものではない。テープ状記録媒体に信号を記録するテープレコーダ、光磁気方式によりディスクより信号を再生する光磁気ディスク装置などに適用してもよい。
また、伝送路を介して伝送される符号化された信号を受信する受信装置に適用してもよい。
また、前述したような記録再生装置に適用する場合に、その記録データには何ら制限されるものではない。デジタルビデオデータ、デジタルオーディオデータを記録してもよいし、通常のデータを記録して計算機装置などのデータレコーダとして用いてもよい。
【００５０】
【発明の効果】
以上説明したように、本発明によれば、パーシャルレスポンスの信号を復号する際に、検出特性を全く劣化させることなく消費電力を大幅に削減した復号化装置を提供することができる。また、検出特性を全く維持した状態で消費電力を大幅に削減することのできる復号化方法を提供することができる。そして、このような低消費電力の復号化装置を搭載することにより、消費電力の少ないデータ再生装置を提供することができる。
【図面の簡単な説明】
【図１】本発明の一実施の形態の磁気ディスク装置の構成を示すブロック図である。
【図２】図１に示した磁気ディスク装置の非線形量子化器におけるデータ変換パタンを示す図である。
【図３】図１に示した磁気ディスク装置のビタビデコーダの構成を示すブロック図である。
【図４】図３に示したビタビデコーダが追跡するトレリスを示す図である。
【図５】図３に示したビタビデコーダのパスメモリの構成を示すブロック図である。
【図６】等化されたデータ列のノイズの分布を示す図である。
【図７】非線形量子化を行う場合のデータ変換パタンを示す図である。
【図８】図７に示した変換を行った場合のデータ検出特性を示す図であり、図８（Ａ）はそのデータ検出特性を示す図、図８（Ｂ）は図８（Ａ）に示した図の中心部の拡大図である。
【図９】従来の磁気ディスク装置の構成を示すブロック図である。
【符号の説明】
１…磁気ディスク装置、１１…チャネル符号化部、１２…記録アンプ、１３…再生アンプ、１４…Ａ／Ｄ変換部、１５…等化器、１６…ＰＬＬ回路、１７…非線形量子化器、１８…ビタビデコーダ、１９…チャネル復号化部、２０…第１の処理回路部、３０…第２の処理回路部、４０…切り替え回路部、５０…合成回路、２１…入力スイッチ、２２…ブランチメトリック演算回路、２３…最尤パスメトリック選択回路、２４…ラッチ、２５…パスメモリ、２５１…ローカルパスメモリ、２５２1 〜２５２-6，２５３1 〜２５３-6，２５４1 〜２５４-6…グローバルパスメモリ、２５５，２５８，２５９…セレクタ、２５６1 〜２５６-6，２５７1 〜２５７-6…ラッチ
【図１】
0003858362.tif 000005
【図２】
0003858362.tif 000006
【図３】
0003858362.tif 000007
【図４】
0003858362.tif 000008
【図５】
0003858362.tif 000009
【図６】
0003858362.tif 000010
【図７】
0003858362.tif 000011
【図８】
0003858362.tif 000012
【図９】
0003858362.tif 000013